(57)【要約】【解決手段】両柄部６，７の指掛環１０，１１は、合成樹脂からなる連結部材１２（内側指掛部１６等）と環状架設部材１３（外側指掛部１８及び内側指掛部１９）とを備え、両刀身１，２の連結部８，９に取着したこの連結部材１２と、この連結部材１２に形成した両端部１６ａ，１６ｂ間の切欠部１７で連結部材１２に対し分離不能な主抜止め部（連結孔２１，２２を貫通する樹脂架橋部）により一体的に取着したこの架設部材１３とにより、環状に形成されている。両柄部６，７の指掛環１０，１１にあって環状の内周部１０ａ，１１ａ及び環状の外周部１０ｂ，１１ｂでは連結部材１２の切欠部１７に対応して架設部材１３が露出している。【効果】鋏を頻繁に開閉動作しても、架設部材１３が連結部材１２に対し不用意に移動せず、鋏の使い勝手を良くすることができる。【選択図】図１
2005066206.tif 000002
【特許請求の範囲】
【請求項１】
第一刀身と第二刀身とを開閉中心部で回動可能に支持し、この開閉中心部よりも先端側で第一刀身と第二刀身とに刃部を設け、この開閉中心部よりも基端側に設けた第一柄部及び第二柄部で刃部から延びる第一刀身及び第二刀身の連結部には内周部を有する指掛部を取着した鋏において、
前記第一柄部と第二柄部とのうち少なくとも第一柄部の指掛部は、互いに性質の異なる材料により成形された連結部材と架設部材とを備え、前記第一刀身の連結部に取着されたこの連結部材と、この連結部材に形成した両端部間の切欠部で連結部材に対し分離不能な抜止め手段により一体的に取着したこの架設部材とにより、環状に形成され、この第一柄部の指掛部にあって環状の内周部及び環状の外周部では少なくとも連結部材の切欠部に対応して架設部材が露出する
ことを特徴とする鋏。
【請求項２】
前記第一柄部の指掛部にあって連結部材は第一刀身と第二刀身との閉状態で前記第二柄部の指掛部に面するように第一柄部の指掛部の環状外周部で露出する内側指掛部を有し、この連結部材の内側指掛部の両端部間に前記切欠部が形成され、
前記第一柄部の指掛部にあって架設部材は、この切欠部で連結部材の内側指掛部の両端部間に架設されて第一柄部の指掛部の環状内周部及び環状外周部で露出する外側指掛部と、この連結部材の内側指掛部に対し一体的に取着された内側指掛部とにより、環状に形成されている
ことを特徴とする請求項１に記載の鋏。
【請求項３】
前記第一刀身の連結部は前記第一柄部の指掛部に埋設された埋設連結部を有し、この第一柄部の指掛部で連結部材及び架設部材の内側指掛部は、第一刀身と第二刀身との間の開閉動方向を含む面に対し直交する厚み方向の両側でこの埋設連結部を挟むように設けられていることを特徴とする請求項２に記載の鋏。
【請求項４】
前記第一柄部の指掛部にあって架設部材の内側指掛部は、第一刀身と第二刀身との間の開閉動方向で連結部材の内側指掛部に対し隣接しているとともに、第一柄部の指掛部の環状内周部で露出し、この開閉動方向を含む面に対し直交する厚み方向の両側で連結部材の内側指掛部から突出して連結部材の内側指掛部との間で段差部を形成していることを特徴とする請求項３に記載の鋏。
【請求項５】
前記第一柄部の指掛部にあって架設部材は、連結部材に貫設した連結孔を貫通する架橋部により互いに接続された抜止め手段としての第一抜止め部を有していることを特徴とする請求項１から請求項４のうちいずれかの請求項に記載の鋏。
【請求項６】
前記連結孔は、少なくとも、前記連結部材にあって切欠部を構成する両端部に貫設されていることを特徴とする請求項５に記載の鋏。
【請求項７】
前記第一柄部の指掛部にあって連結部材の連結孔は、この第一柄部の指掛部に埋設された第一刀身の埋設連結部に対し、第一刀身と第二刀身との間の開閉動方向を含む面に直交する厚み方向の両側で面する領域の外で、設けられていることを特徴とする請求項５または請求項６に記載の鋏。
【請求項８】
前記第一柄部の指掛部にあって、第一刀身と第二刀身との間の開閉動方向を含む面に対し直交する厚み方向の両側で、架設部材は、連結部材に形成した連結溝に係入された抜止め手段としての第二抜止め部を有していることを特徴とする請求項１から請求項７のうちいずれかの請求項に記載の鋏。
【請求項９】
前記連結溝は、連結部材に形成した突条壁部の内側面と、この突条壁部の内側面に面する内側面と、この両内側面間の底面と、この底面に面する開放部とにより構成されていることを特徴とする請求項８に記載の鋏。
【請求項１０】
前記第一柄部の指掛部にあって連結部材の突条壁部は、この第一柄部の指掛部に埋設された第一刀身の埋設連結部に対し、第一刀身と第二刀身との間の開閉動方向を含む面に直交する厚み方向の両側で面する領域内で、設けられていることを特徴とする請求項９に記載の鋏。
【請求項１１】
前記第一柄部及び第二柄部の指掛部はそれぞれ樹脂により成形され、第一柄部の指掛部にあって架設部材は連結部材よりも軟質の樹脂により成形されていることを特徴とする請求項１から請求項１０のうちいずれかの請求項に記載の鋏。
【請求項１２】
前記第一柄部の指掛部にあって連結部材は、ショアＡ８０以上の硬度を有することを特徴とする請求項１１に記載の鋏。
【請求項１３】
前記第一柄部の指掛部にあって架設部材は、ショアＡ９５以下の硬度を有することを特徴とする請求項１１に記載の鋏。
【請求項１４】
前記第一柄部の指掛部にあって連結部材の硬度と架設部材の硬度との間の差はショアＡ５以上に設定されていることを特徴とする請求項１１に記載の鋏。
【請求項１５】
第一柄部の指掛部に埋設された第一刀身の埋設連結部は、前記第一柄部の指掛部の連結部材に形成された埋設孔から抜いて分離し得るように、この連結部材に対し一体的に取着されていることを特徴とする請求項１１から請求項１４のうちいずれかの請求項に記載の鋏。
【発明の詳細な説明】
【技術分野】
【０００１】
本発明は両柄部で両刀身の連結部に指掛環を取着した鋏に関するものである。
【背景技術】
【０００２】
下記特許文献１では、両柄部において、両刀身１の連結部にプラスチック製の連結部材（連結部４）が取着され、この連結部材（連結部４）に対しプラスチック製の指掛部材（指掛環６）がそれらの係止部で着脱可能に係合される。
【特許文献１】実公平６−３０１４３号公報
【発明の開示】
【発明が解決しようとする課題】
【０００３】
しかし、鋏を頻繁に開閉動作すると、前記係止部で緩みが生じ易くなり、指掛部材（指掛環６）が連結部材（連結部４）に対し不用意に移動して使い勝手が悪くなるおそれがあった。
【０００４】
この発明は、鋏を頻繁に開閉動作しても、架設部材（前記指掛環６に該当）が連結部材（前記連結部４に該当）に対し不用意に移動しないように改良し、鋏の使い勝手を良くすることを目的としている。
【課題を解決するための手段】
【０００５】
後記実施形態の図面（図１〜４）の符号を援用して本発明を説明する。
＊  請求項１の発明
請求項１の発明にかかる鋏は下記のように構成されている。
【０００６】
この鋏においては、第一刀身（１）と第二刀身（２）とを開閉中心部（３）で回動可能に支持し、この開閉中心部（３）よりも先端側で第一刀身（１）と第二刀身（２）とに刃部（４，５）を設け、この開閉中心部（３）よりも基端側に設けた第一柄部（６）及び第二柄部（７）で刃部（４，５）から延びる第一刀身（１）及び第二刀身（２）の連結部（８，９）には内周部（１０ａ，１１ａ）を有する指掛部（１０，１１）を取着している。前記第一柄部（６）と第二柄部（７）とのうち少なくとも第一柄部（６）の指掛部（１０）は、互いに性質の異なる材料により成形された連結部材（１２）と架設部材（１３）とを備え、前記第一刀身（１）の連結部（８）に取着したこの連結部材（１２）と、この連結部材（１２）に形成した両端部（１６ａ，１６ｂ）間の切欠部（１７）で連結部材（１２）に対し分離不能な抜止め手段（第一抜止め部としての主抜止め部２３及び第二抜止め部としての補助抜止め部２９）により一体的に取着したこの架設部材（１３）とにより、環状に形成されている。この第一柄部（６）の指掛部（１０）にあって環状の内周部（１０ａ）及び環状の外周部（１０ｂ）では少なくとも連結部材（１２）の切欠部（１７）に対応して架設部材（１３）が露出している。ちなみに、第一柄部（６）及び第二柄部（７）の指掛部（１０，１１）については、完全に環状のもの以外に、一部が分断されて内周部（１０ａ，１１ａ）と外周部（１０ｂ，１１ｂ）とが互いにつながっていてもよい。
【０００７】
請求項１の発明では、指掛部（１０）において互いに性質の異なる材料により成形された連結部材（１２）と架設部材（１３）とが分離不能な抜止め手段（２３，２９）により一体的に取着されているので、鋏を頻繁に開閉動作しても、架設部材（１３）が連結部材（１２）に対し不用意に移動せず、鋏の使い勝手を良くすることができる。ここに、「互いに性質の異なる材料」とは、材質を変えることはもちろんのこと、同一材質で配合成分の割合を変えたり、同一材質で異なる添加剤を加えたりすることのほか、色を変えたりすることも意味する。
【０００８】
＊  請求項２の発明
請求項１の発明を前提とする請求項２の発明は下記のように構成されている。
前記第一柄部（６）の指掛部（１０）にあって連結部材（１２）は第一刀身（１）と第二刀身（２）との閉状態で前記第二柄部（７）の指掛部（１１）に面するように第一柄部（６）の指掛部（１０）の環状外周部（１０ｂ）で露出する内側指掛部（１６）を有し、この連結部材（１２）の内側指掛部（１６）の両端部（１６ａ，１６ｂ）間に前記切欠部（１７）が形成されている。前記第一柄部（６）の指掛部（１０）にあって架設部材（１３）は、この切欠部（１７）で連結部材（１２）の内側指掛部（１６）の両端部（１６ａ，１６ｂ）間に架設されて第一柄部（６）の指掛部（１０）の環状内周部（１０ａ）及び環状外周部（１０ｂ）で露出する外側指掛部（１８）と、この連結部材（１２）の内側指掛部（１６）に対し一体的に取着された内側指掛部（１９）とにより、環状に形成されている。請求項２の発明では、架設部材（１３）を連結部材（１２）に対し強固に連結することができる。
【０００９】
＊  請求項３〜４の発明
請求項２の発明を前提とする請求項３の発明は下記のように構成されている。
前記第一刀身（１）の連結部（８）は前記第一柄部（６）の指掛部（１０）に埋設された埋設連結部（１４）を有している。この第一柄部（６）の指掛部（１０）で連結部材（１２）及び架設部材（１３）の内側指掛部（１６，１９）は、第一刀身（１）と第二刀身（２）との間の開閉動方向（Ｘ）を含む面に対し直交する厚み方向（Ｙ）の両側でこの埋設連結部（１４）を挟むように設けられている。
【００１０】
請求項３の発明を前提とする請求項４の発明は下記のように構成されている。
前記第一柄部（６）の指掛部（１０）にあって架設部材（１３）の内側指掛部（１９）は、第一刀身（１）と第二刀身（２）との間の開閉動方向（Ｘ）で連結部材（１２）の内側指掛部（１６）に対し隣接しているとともに、第一柄部（６）の指掛部（１０）の環状内周部（１０ａ）で露出している。また、この架設部材（１３）の内側指掛部（１９）は、この開閉動方向（Ｘ）を含む面に対し直交する厚み方向（Ｙ）の両側で連結部材（１２）の内側指掛部（１６）から突出して連結部材（１２）の内側指掛部（１６）との間で段差部（２０）を形成している。
【００１１】
請求項３の発明では、架設部材（１３）を連結部材（１２）に対し強固に連結するとともに、連結部材（１２）を埋設連結部（１４）に対し強固に連結することができる。さらに、請求項４の発明では、指が連結部材（１２）の内側指掛部（１６）よりも架設部材（１３）の内側指掛部（１９）に触れ易くなる。
【００１２】
＊  請求項５〜６の発明
請求項１から請求項４のうちいずれかの請求項の発明を前提とする請求項５の発明にかかる第一柄部（６）の指掛部（１０）にあって、架設部材（１３）は、連結部材（１２）に貫設した連結孔（２１，２２）を貫通する架橋部（２３ａ）により互いに接続された抜止め手段としての第一抜止め部（２３）を有している。請求項５の発明を前提とする請求項６の発明において、前記連結孔（２１）は、少なくとも、前記連結部材（１２）で切欠部（１７）を構成する両端部（１６ａ，１６ｂ）に貫設されている。請求項５〜６の発明では、架設部材（１３）を連結部材（１２）に対し強固に連結することができる。
【００１３】
＊  請求項７の発明
請求項５または請求項６の発明を前提とする請求項７の発明にかかる第一柄部（６）の指掛部（１０）にあって連結部材（１２）の連結孔（２１，２２）は、この第一柄部（６）の指掛部（１０）に埋設された第一刀身（１）の埋設連結部（１４）に対し、第一刀身（１）と第二刀身（２）との間の開閉動方向（Ｘ）を含む面に直交する厚み方向（Ｙ）の両側で面する領域（Ｓ）の外で、設けられている。請求項７の発明では、架橋部（２３ａ）により互いに接続された強固な第一抜止め部（２３）を埋設連結部（１４）に邪魔されることなく形成して抜止め手段とすることができる。
【００１４】
＊  請求項８〜９の発明
請求項１から請求項７のうちいずれかの請求項の発明を前提とする請求項８の発明にかかる第一柄部（６）の指掛部（１０）にあって、第一刀身（１）と第二刀身（２）との間の開閉動方向（Ｘ）を含む面に対し直交する厚み方向（Ｙ）の両側で、架設部材（１３）は、連結部材（１２）に形成した連結溝（２４）に係入された抜止め手段としての第二抜止め部（２９）を有している。請求項８の発明を前提とする請求項９の発明において、前記連結溝（２４）は、連結部材（１２）に形成した突条壁部（２５）の内側面（２５ａ）と、この突条壁部（２５）の内側面（２５ａ）に面する内側面（２６）と、この両内側面（２５ａ，２６）間の底面（２７）と、この底面（２７）に面する開放部（２８）とにより構成されている。請求項８〜９の発明では、架設部材（１３）を連結部材（１２）に対し強固に連結することができる。
【００１５】
＊  請求項１０の発明
請求項９の発明を前提とする請求項１０の発明にかかる第一柄部（６）の指掛部（１０）にあって連結部材（１２）の突条壁部（２５）は、この第一柄部（６）の指掛部（１０）に埋設された第一刀身（１）の埋設連結部（１４）に対し、第一刀身（１）と第二刀身（２）との間の開閉動方向（Ｘ）を含む面に直交する厚み方向（Ｙ）の両側で面する領域（Ｓ）内で、設けられている。請求項１０の発明では、連結部材（１２）に貫設した連結孔（２１，２２）の代わりに連結溝（２４）を形成して、その連結溝（２４）に係入された第二抜止め部（２９）を埋設連結部（１４）に邪魔されることなく形成して抜止め手段とすることができる。
【００１６】
＊  請求項１１〜１４の発明
請求項１から請求項１０のうちいずれかの請求項の発明を前提とする請求項１１の発明において、第一柄部（６）及び第二柄部（７）の指掛部（１０，１１）はそれぞれ樹脂により成形され、第一柄部（６）の指掛部（１０）にあって架設部材（１３）は連結部材（１２）よりも軟質の樹脂により成形されている。請求項１１の発明を前提とする請求項１２の発明にかかる第一柄部（６）の指掛部（１０）にあって連結部材（１２）は、ショアＡ８０以上の硬度を有する。請求項１１の発明を前提とする請求項１３の発明にかかる第一柄部（６）の指掛部（１０）にあって架設部材（１３）は、ショアＡ９５以下の硬度を有する。請求項１１の発明を前提とする請求項１４の発明にかかる第一柄部（６）の指掛部（１０）にあって連結部材（１２）の硬度と架設部材（１３）の硬度との間の差はショアＡ５以上に設定されている。請求項１１〜１４の発明では、架設部材（１３）を連結部材（１２）に対し強固に連結するとともに、指掛部（１０）全体の剛性及び感触を良くすることができる。
【００１７】
＊  請求項１５の発明
請求項１１から請求項１４のうちいずれかの請求項の発明を前提とする請求項１５の発明において、第一柄部（６）の指掛部（１０）に埋設された第一刀身（１）の埋設連結部（１４）は、前記第一柄部（６）の指掛部（１０）の連結部材（１２）に形成された埋設孔（１２ａ）から抜いて分離し得るように、この連結部材（１２）に対し一体的に取着されている。請求項１５の発明では、刀身（１）と指掛部（１０）とを互いに分離して破棄することができる。
【００１８】
＊  第１６の発明
請求項５または請求項６または請求項７の発明を前提とする第１６の発明において、前記連結孔（２２）は第一柄部（６）で指掛部（１０）の環状外周部（１０ｂ）にある架設部材（１３）の外周部（１９ａ）に沿って設けられている。この場合、連結孔（２２）としては、外周部（１９ａ）に沿って一連につながった長孔状に形成したり、互いに分離した複数の貫通孔を外周部（１９ａ）に沿って並設したりする。第１６の発明では、指掛部（１０）の環状外周部（１０ｂ）で架設部材（１３）の外周部（１９ａ）が、この連結孔（２２）を貫通する架橋部（２３ａ）により、第一抜け止め部（２３）として互いにつながっているので、この架設部材（１３）の外周部（１９ａ）が連結部材（１２）の外周部（内側指掛部１６）に対し剥がれにくくなる。
【００１９】
＊  第１７の発明
請求項９または請求項１０の発明を前提とする第１７の発明において、前記突条壁部（２５）は、第一柄部（６）で指掛部（１０）の環状内周部（１０ａ）にある連結部材（１２）の内周部（内側指掛部１６の内周部３０）、または、第一柄部（６）で指掛部（１０）の環状外周部（１０ｂ）にある架設部材（１３）の外周部（１９ａ）、または、この連結部材（１２）の内周部（内側指掛部１６の内周部３０）及び架設部材（１３）の外周部（１９ａ）に沿って設けられている。第１７の発明では、この連結部材（１２）の内周部（内側指掛部１６の内周部３０）や架設部材（１３）の外周部（１９ａ）に生じる力をこの突条壁部（２５）が受けるので、指掛部（１０）全体の剛性を高めることができる。
【００２０】
＊  第１８の発明
請求項９または請求項１０の発明または第１７の発明を前提とする第１８の発明において、前記連結部材（１２）は第一刀身（１）と第二刀身（２）との閉状態で互いに当接する当接部（３１）を有し、前記突条壁部（２５）は、第一刀身（１）と第二刀身（２）との閉状態において、第一刀身（１）と第二刀身（２）との間の開閉動方向（Ｘ）の両側でこの当接部（３１）に対し面する領域（Ｒ）内で、設けられている。この領域（Ｒ）内で連結部材（１２）に連結孔を貫設すると、この当接部（３１）に生じる力によりこの連結孔の周辺が変形し易くなって鋏の使い勝手が悪くなるが、この第１８の発明ではこのような連結孔がないために連結孔の周辺が変形しにくくなって鋏の使い勝手が良くなる。
【００２１】
＊  第１９の発明
請求項６の発明を前提とする第１９の発明は下記のように構成されている。
前記第一柄部（６）の指掛部（１０）にあって、第一刀身（１）と第二刀身（２）との間の開閉動方向（Ｘ）を含む面に対し直交する厚み方向（Ｙ）の両側で、架設部材（１３）は、連結部材（１２）に形成した連結溝（２４）に係入された抜止め手段としての第二抜止め部（２９）を有している。この連結溝（２４）は、連結部材（１２）に形成した突条壁部（２５）の内側面（２５ａ）と、この突条壁部（２５）の内側面（２５ａ）に面する内側面（２６）と、この両内側面（２５ａ，２６）間の底面（２７）と、この底面（２７）に面する開放部（２８）とにより構成されている。この突条壁部（２５）は、前記切欠部（１７）を構成する両端部（１６ａ，１６ｂ）にある連結孔（２１）間で連結部材（１２）に形成されている。第１９の発明では、架設部材（１３）を連結部材（１２）に対し強固に連結することができる。
【発明の効果】
【００２２】
本発明は、鋏を頻繁に開閉動作しても、指掛部（１０）において互いに性質の異なる材料により成形された連結部材（１２）と架設部材（１３）とが相対移動しにくくなり、鋏の使い勝手を良くすることができる。
【発明を実施するための最良の形態】
【００２３】
以下、本発明の一実施形態にかかる鋏について図１〜４を参照して説明する。
第一刀身１と第二刀身２とが開閉中心部３で回動可能に支持され、この開閉中心部３よりも先端側で第一刀身１と第二刀身２とに刃部４，５が設けられ、この開閉中心部３よりも基端側に設けられた第一柄部６及び第二柄部７で刃部４，５から延びる第一刀身１及び第二刀身２の連結部８，９に指掛環１０，１１（指掛部）が取着されている。この第一柄部６の指掛環１０と第二柄部７の指掛環１１とは、合成樹脂からなり、連結部材１２と、この連結部材１２に取着された架設部材１３とにより、環状に形成されている。この第一刀身１と第二刀身２とは金属により成形され、それらの連結部８，９は、指掛環１０，１１の連結部材１２内に埋設された埋設連結部１４と、この埋設連結部１４と開閉中心部３との間で延設された支持腕部１５とからなる。
【００２４】
この第一刀身１及び第二刀身２の連結部８，９が成形型（図示せず）内のキャビティにインサートされた状態で、このキャビティに合成樹脂（例えば、ＰＰやＡＢＳ等のプラスチック、合成ゴム等のエラストマー、このプラスチックとエラストマーとの混合物）が注入されて、連結部８，９に指掛環１０，１１の連結部材１２が一体的に取着される。さらに、この指掛環１０，１１の連結部材１２が成形型（図示せず）内のキャビティにインサートされた状態で、このキャビティには連結部材１２よりも軟質の合成樹脂（例えば合成ゴムなどのエラストマー）が注入されて、この連結部材１２に指掛環１０，１１の架設部材１３が後述の抜止め手段により分離不能に一体的に取着される。ちなみに、連結部材１２がプラスチックまたはエラストマーまたはプラスチックとエラストマーとの混合物であり、架設部材１３がエラストマーである場合、連結部材１２はショアＡ８０以上の硬度を有し、架設部材１３はショアＡ９５以下の硬度を有し、この連結部材１２の硬度と架設部材１３の硬度との間の差はショアＡ５以上に設定されている。前記第一刀身１及び第二刀身２の埋設連結部１４は、前記指掛環１０，１１の連結部材１２に形成された埋設孔１２ａ内に密着されている。しかし、この連結部材１２を上記硬度に設定することにより、この埋設連結部１４に対し所定値以上の引き抜き力による引き抜き動作を加えると、埋設孔１２ａに対する埋設連結部１４の摩擦抵抗に打ち勝って埋設連結部１４を埋設孔１２ａから抜いて分離することができる。
【００２５】
第一柄部６で指掛環１０の連結部材１２は第一刀身１と第二刀身２との閉状態で第二柄部７の指掛環１１に面する内側指掛部１６を有している。第二柄部７で指掛環１１の連結部材１２も第一刀身１と第二刀身２との閉状態で第一柄部６の指掛環１０に面する内側指掛部１６を有している。これらの内側指掛部１６の両端部１６ａ，１６ｂ間に切欠部１７が形成されている。第一柄部６の指掛環１０及び第二柄部７の指掛環１１にあって架設部材１３は、この切欠部１７で連結部材１２の内側指掛部１６の両端部１６ａ，１６ｂ間に架設された外側指掛部１８と、この連結部材１２の内側指掛部１６に取着された内側指掛部１９とにより、環状に形成されている。これらの連結部材１２及び架設部材１３の内側指掛部１６，１９は、第一刀身１と第二刀身２との間の開閉動方向Ｘを含む面に対し直交する厚み方向Ｙの両側で前記埋設連結部１４を挟むように設けられている。これらの架設部材１３の内側指掛部１９は、前記開閉動方向Ｘで連結部材１２の内側指掛部１６に対し隣接しているとともに、前記厚み方向Ｙの両側で連結部材１２の内側指掛部１６から突出して連結部材１２の内側指掛部１６との間で段差部２０を形成している。これらの指掛環１０，１１にあって環状内周部１０ａ，１１ａの全体で架設部材１３の内側指掛部１９及び外側指掛部１８が露出している。これらの指掛環１０，１１にあって環状外周部１０ｂ，１１ｂでは、架設部材１３の外側指掛部１８が連結部材１２の切欠部１７に対応して露出しているとともに、連結部材１２の内側指掛部１６が露出している。
【００２６】
これらの指掛環１０，１１にあって、連結部材１２の内側指掛部１６の両端部１６ａ，１６ｂには連結孔２１が前記厚み方向Ｙへ貫設されている。この両連結孔２１と前記埋設連結部１４との間でこの内側指掛部１６には両連結孔２２が前記厚み方向Ｙへ貫設され、この両連結孔２２は第一柄部６で指掛環１０の環状外周部１０ｂにある架設部材１３の外周部１９ａに沿って設けられている。これらの連結孔２１，２２の形状については、円形状や長孔状など任意に設定することができる。これらの連結孔２１，２２は、埋設連結部１４に対し厚み方向Ｙの両側で面する領域Ｓの外で設けられている。これらの指掛環１０，１１にあって架設部材１３は、これらの連結孔２１，２２を貫通する架橋部２３ａにより互いに接続された主抜止め部２３（抜止め手段である第一抜止め部）を有している。
【００２７】
これらの指掛環１０，１１にあって連結部材１２には前記厚み方向Ｙの両側で連結溝２４が形成されている。これらの連結溝２４は、連結部材１２に形成された突条壁部２５の内側面２５ａと、この突条壁部２５の内側面２５ａに面する内側面２６と、この両内側面２５ａ，２６間の底面２７と、この底面２７に面する開放部２８とにより構成されている。これらの指掛環１０，１１にあって架設部材１３は厚み方向Ｙの両側で連結溝２４に係入された補助抜止め部２９（抜止め手段である第二抜止め部）を有している。
【００２８】
これらの指掛環１０，１１の環状内周部１０ａ，１１ａにおいて連結部材１２の内側指掛部１６で両端部１６ａ，１６ｂ間の内周部３０は、架設部材１３の内側指掛部１９により被覆され、この両端部１６ａ，１６ｂから延びる両側部３０ａ，３０ｂと、この両側部３０ａ，３０ｂ間の中間部３０ｃとにより、切欠部１７の底部を形成している。前記突条壁部２５は、この両端部１６ａ，１６ｂ間で、この内側指掛部１６の側部３０ａ及び中間部３０ｃと、前記架設部材１３の外周部１９ａの一部とに沿って設けられている。これらの連結部材１２の両突条壁部２５にあってその一部は、埋設連結部１４に対し厚み方向Ｙの両側で面する領域Ｓ内で設けられている。また、これらの連結部材１２の内側指掛部１６は第一刀身１と第二刀身２との閉状態で互いに当接する当接部３１を有し、これらの連結部材１２の両突条壁部２５にあってその一部は、この閉状態において第一刀身１と第二刀身２との間の開閉動方向Ｘの両側でこの当接部３１に対し面する領域Ｒ内で設けられている。前記連結溝２４では、底面２７の一部において第一刀身１の埋設連結部１４が露出して補助抜止め部２９に接触している。なお、前記突条壁部２５は架設部材１３から露出していてもよい。
【図面の簡単な説明】
【００２９】
【図１】本実施形態にかかる鋏の柄部を切り欠いて示す部分平面図である。
【図２】（ａ）は本実施形態にかかる鋏の柄部を示す部分平面図であり、（ｂ）は本実施形態にかかる鋏の全体を示す平面図である。
【図３】（ａ）は図２（ａ）のＡ−Ａ線拡大断面図であり、（ｂ）は（ａ）の部分拡大図である。
【図４】（ａ）は図２（ａ）のＢ−Ｂ線拡大断面図であり、（ｂ）は図２（ａ）のＣ−Ｃ線拡大断面図である。
【符号の説明】
【００３０】
１…第一刀身、２…第二刀身、３…開閉中心部、４，５…刃部、６…第一柄部、７…第二柄部、８，９…連結部、１０，１１…指掛環（指掛部）、１０ａ，１１ａ…内周部、１０ｂ，１１ｂ…外周部、１２…連結部材、１２ａ…埋設孔、１３架設部材、１４…埋設連結部、１６…内側指掛部、１６ａ，１６ｂ…端部、１７…切欠部、１８…外側指掛部、１９…内側指掛部、２０…段差部、２１，２２…連結孔、２３…主抜止め部（抜止め手段である第一抜止め部）、２４…連結溝、２５…突条壁部、２５ａ…内側面、２６…内側面、２７…底面、２８…開放部、２９…補助抜止め部（抜止め手段である第二抜止め部）、Ｓ…領域、Ｘ…開閉動方向、Ｙ…厚み方向。
【図１】
2005066206.tif 000003
【図２】
2005066206.tif 000004
【図３】
2005066206.tif 000005
【図４】
2005066206.tif 000006